【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
機器本体と、この機器本体を支持するスタンドと、このスタンドに対し前記機器本体を角度調整自在に結合する支軸とを備える電子機器であって、
機器本体側とスタンド側に、前記支軸を中心として放射状に形成され、噛み合い位置が変更自在な角度調整用の噛み合い刻みを機器本体側の噛み合い刻みとスタンド側の噛み合い刻みの刻みピッチを異ならせて備える
ことを特徴とする電子機器。
【請求項２】
機器本体側の噛み合い刻みとスタンド側の噛み合い刻みの少なくとも一方は機器本体またはスタンドと別体である
ことを特徴とする請求項１に記載の電子機器。
【請求項３】
機器本体側の噛み合い刻みとスタンド側の噛み合い刻みは材質が異なる
ことを特徴とする請求項１または２に記載の電子機器。
【請求項４】
機器本体側の噛み合い刻みとスタンド側の噛み合い刻みの一方は板金部材のプレス加工品であり、他方はエンジニアリングプラスチック品である
ことを特徴とする請求項２または３に記載の電子機器。
【請求項５】
機器本体側の噛み合い刻みとスタンド側の噛み合い刻みの少なくとも一方は交換可能部品である
ことを特徴とする請求項２から４のいずれか一項に記載の電子機器。
【請求項６】
前記板金部材には、機器本体の調整角度を制限するストッパーが打ち抜きプレス加工により形成されている
ことを特徴とする請求項４または５に記載の電子機器。
【手続補正２】
【補正対象書類名】明細書
【補正対象項目名】０００５
【補正方法】変更
【補正の内容】
【０００５】
以上の課題を解決するため、請求項１に記載の発明は、機器本体と、この機器本体を支持するスタンドと、このスタンドに対し前記機器本体を角度調整自在に結合する支軸とを備える電子機器であって、機器本体側とスタンド側に、前記支軸を中心として放射状に形成され、噛み合い位置が変更自在な角度調整用の噛み合い刻みを機器本体側の噛み合い刻みとスタンド側の噛み合い刻みの刻みピッチを異ならせて備えることを特徴とする。
例えば図１から図４に示すように、重量物である機器本体１と、この機器本体１を支持するスタンド２と、このスタンド２に対し前記機器本体１を角度調整自在に結合する支軸３１とを備える電子機器であって、機器本体１側とスタンド２側に、前記支軸３１を中心として放射状に形成され、噛み合い位置が変更自在な角度調整用の噛み合い刻み４１・５１を備え、かつ、例えば図４に示すように、機器本体１側の噛み合い刻み５１とスタンド２側の噛み合い刻み４１の刻みピッチが異なることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項２に記載の発明は、請求項１に記載の電子機器であって、例えば図２及び図３に示すように、機器本体１側の噛み合い刻み５１とスタンド２側の噛み合い刻み４１の少なくとも一方は機器本体１またはスタンド２と別体であることを特徴とする。
請求項２に記載の発明によれば、機器本体１側の噛み合い刻み５１とスタンド２側の噛み合い刻み４１の少なくとも一方は機器本体１またはスタンド２と別体であるので、噛み合い刻みが削られて磨耗しても、機器本体１またはスタンド２のいずれかには直接的に磨耗の影響を与えなくて済む。
【手続補正６】
【補正対象書類名】明細書
【補正対象項目名】０００９
【補正方法】変更
【補正の内容】
【０００９】
請求項３に記載の発明は、請求項１または２に記載の電子機器であって、例えば図２及び図３に示すように、機器本体１側の噛み合い刻み５１とスタンド２側の噛み合い刻み４１は材質が異なることを特徴とする。
【手続補正７】
【補正対象書類名】明細書
【補正対象項目名】００１０
【補正方法】変更
【補正の内容】
【００１０】
請求項３に記載の発明によれば、機器本体側の噛み合い刻みとスタンド側の噛み合い刻みは材質が異なるので、使用の進行によって両方の噛み合い刻みが削れることはなく、柔らかい一方だけが削れるものとなり、その削れた一方のみを交換すれば良い。
【手続補正８】
【補正対象書類名】明細書
【補正対象項目名】００１１
【補正方法】変更
【補正の内容】
【００１１】
請求項４に記載の発明は、請求項２または３に記載の電子機器であって、例えば図２及び図３に示すように、機器本体１側の噛み合い刻み５１とスタンド２側の噛み合い刻み４１の一方は板金部材５のプレス加工品であり、他方はエンジニアリングプラスチック品（例えばリング部材４）であることを特徴とする。
【手続補正９】
【補正対象書類名】明細書
【補正対象項目名】００１２
【補正方法】変更
【補正の内容】
【００１２】
請求項４に記載の発明によれば、一方の噛み合い刻みは板金部材のプレス加工品なので、その板金部材のプレス加工品により機器本体またはスタンドを補強して強度を上げられる。
そして、他方の噛み合い刻みはエンジニアリングプラスチック品なので、板金部材のプレス加工品による噛み合い刻みに対して使用の進行によりエンジニアリングプラスチック品の噛み合い刻みだけが削れるものとなり、その削れたエンジニアリングプラスチック品の噛み合い刻みのみを交換すれば良い。
【手続補正１０】
【補正対象書類名】明細書
【補正対象項目名】００１３
【補正方法】変更
【補正の内容】
【００１３】
請求項５に記載の発明は、請求項２から４のいずれか一項に記載の電子機器であって、例えば図３及び図４に示すように、機器本体１側の噛み合い刻み５１とスタンド２側の噛み合い刻み４１の少なくとも一方は交換可能部品であることを特徴とする。
【手続補正１１】
【補正対象書類名】明細書
【補正対象項目名】００１４
【補正方法】変更
【補正の内容】
【００１４】
請求項５に記載の発明によれば、機器本体側の噛み合い刻みとスタンド側の噛み合い刻みの少なくとも一方は交換可能部品なので、使用の進行による削れ等により必要に応じて噛み合い刻みの少なくとも一方を交換できる。
【手続補正１２】
【補正対象書類名】明細書
【補正対象項目名】００１５
【補正方法】変更
【補正の内容】
【００１５】
請求項６に記載の発明は、請求項４または５に記載の電子機器であって、例えば図３及び図４に示すように、前記板金部材５には、機器本体１の調整角度を制限するストッパー５５が打ち抜きプレス加工により形成されていることを特徴とする。
【手続補正１３】
【補正対象書類名】明細書
【補正対象項目名】００１６
【補正方法】変更
【補正の内容】
【００１６】
請求項６に記載の発明によれば、板金部材には、機器本体の調整角度を制限するストッパーが打ち抜きプレス加工により形成されているので、スタンドに対する機器本体の調整角度を制限するストッパーを、放射状の噛み合い刻みを有する板金部材の打ち抜きプレス加工により簡単に形成できる。
【手続補正１４】
【補正対象書類名】明細書
【補正対象項目名】００１７
【補正方法】変更
【補正の内容】
【００１７】
本発明によれば、機器本体側及びスタンド側の放射状の噛み合い刻みによる噛み合い位置を変更することで、スタンドに対する機器本体の角度位置を変更でき、しかも、放射状の噛み合い刻みによる円周方向に亘る噛み合い構造なので、重量のある機器本体であっても角度固定状態に確実に保持できる。
また、機器本体側の噛み合い刻みとスタンド側の噛み合い刻みの刻みピッチとが異なるので、噛み合い部の接触面積が減少し、角度調整をするときに同じピッチの場合よりも抵抗が少なくなり操作がやりやすいだけでなく、噛み合い部が磨耗しにくい。さらに、ピッチが細かい場合には、プレス加工上、噛み合い刻みが全面にあると噛み合い刻みを成形する時に素材が伸びるため「ひずみ」が大きくなり「反り等の変形」が出たり、金型形状的に「金型の強度」が不安となるという問題点を、ピッチを粗くした側においては解消できる。